(57)【要約】【課題】ポータブルバレエバーエクササイズ装置の複数の形態に関する。【解決手段】いくつかの実施形態では、このポータブルバレエバーエクササイズ装置が、単一の独立ユニット、又は単一の壁取り付けユニットとして使用できるように、或いは同一のユニットと組み合わせて二重独立ユニット又は二重壁取り付けユニットを形成できるように、本質的にモジュール式である。【選択図】図１
2020114474.tif 000002
【特許請求の範囲】
【請求項１】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の垂直柱と、
前記第２のネック部を受け取り、該第２のネック部を内部で移動させて前記第１の水平バーの鉛直高さを変更できる第２の垂直柱と、
前記第１の垂直柱に取り付けられた第１の前脚部及び第１の後脚部と、
前記第２の垂直柱に取り付けられた第２の前脚部及び第２の後脚部と、
を備え、前記第１の前脚部及び前記第１の後脚部、並びに前記第２の前脚部及び前記第２の後脚部は、前記装置を壁部に取り付けることができるように取り外し可能である、
ことを特徴とするポータブルエクササイズ装置。
【請求項２】
前記第１の垂直柱及び前記第２の垂直柱に取り付けられた第２の水平バーと、
前記第１の垂直柱及び前記第２の垂直柱に取り付けられた第３の水平バーと、
前記第２の水平バー及び前記第３の水平バーに取り付けられた後板と、
前記後板に取り付けられた床板と、
をさらに備える請求項１に記載の装置。
【請求項３】
前記第１のネック部は、前記第１の垂直柱内の壁部又は壁部セグメントに係合する第１の複数のホイールを含み、前記第２のネック部は、前記第２の垂直柱内の壁部又は壁部セグメントに係合する第２の複数のホイールを含む、
請求項１に記載の装置。
【請求項４】
前記第１の垂直柱に取り付けられて前記第１のネック部に力を加える第１の定荷重ばねと、前記第２の垂直柱に取り付けられて前記第２のネック部に力を加える第２の定荷重ばねとをさらに備える、
請求項３に記載の装置。
【請求項５】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の垂直柱と、
前記第２のネック部を受け取り、該第２のネック部を内部で移動させて前記第１の水平バーの鉛直高さを変更できる第２の垂直柱と、
前記第１の垂直柱に取り付けられた第１の前脚部と、
前記第２の垂直柱に取り付けられた第２の前脚部と、
を含む第１のユニットと、
前記第１のユニットと同一の第２のユニットと、
を備え、前記第１のユニット及び前記第２のユニットは、互いに背中合わせの構成で結合できるとともに、壁部への取り付けを可能にするように切り離すこともできる、
ことを特徴とするポータブルエクササイズ装置。
【請求項６】
前記第１のユニット及び前記第２のユニットの各々は、
前記第１の垂直柱及び前記第２の垂直柱に取り付けられた第２の水平バーと、
前記第１の垂直柱及び前記第２の垂直柱に取り付けられた第３の水平バーと、
前記第２の水平バー及び前記第３の水平バーに取り付けられた後板と、
前記後板に取り付けられた床板と、
をさらに含む請求項５に記載の装置。
【請求項７】
前記第１のネック部は、前記第１の垂直柱内の壁部又は壁部セグメントに係合する第１の複数のホイールを含み、前記第２のネック部は、前記第２の垂直柱内の壁部又は壁部セグメントに係合する第２の複数のホイールを含む、
請求項５に記載の装置。
【請求項８】
前記第１の垂直柱に取り付けられて前記第１のネック部に力を加える第１の定荷重ばねと、前記第２の垂直柱に取り付けられて前記第２のネック部に力を加える第２の定荷重ばねとをさらに備える、
請求項７に記載の装置。
【請求項９】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の垂直柱と、
前記第２のネック部を受け取り、該第２のネック部を内部で移動させて前記第１の水平バーの鉛直高さを変更できる第２の垂直柱と、
前記第１の垂直柱に取り付けられた第１の前脚部及び第１の後脚部と、
前記第２の垂直柱に取り付けられた第２の前脚部及び第２の後脚部と、
を含む第１のユニットと、
前記第１のユニットと同一の第２のユニットと、
を備え、前記第１のユニット及び前記第２のユニットは、別個の独立型ユニットとして動作することも、或いは前記第１の後脚部及び前記第２の後脚部を各ユニットから除去して互いに背中合わせの構成で結合して複合独立型ユニットとして動作することもできる、
ことを特徴とするポータブルエクササイズ装置。
【請求項１０】
前記第１のネック部は、前記第１の垂直柱内の壁部又は壁部セグメントに係合する第１の複数のホイールを含み、前記第２のネック部は、前記第２の垂直柱内の壁部又は壁部セグメントに係合する第２の複数のホイールを含む、
請求項９に記載の装置。
【請求項１１】
前記第１の垂直柱に取り付けられて前記第１のネック部に力を加える第１の定荷重ばねと、前記第２の垂直柱に取り付けられて前記第２のネック部に力を加える第２の定荷重ばねとをさらに備える、
請求項１０に記載の装置。
【請求項１２】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の垂直柱と、
前記第２のネック部を受け取り、該第２のネック部を内部で移動させて前記第１の水平バーの鉛直高さを変更できる第２の垂直柱と、
前記垂直柱に取り付けられた第１のブラケットに取り付けられ、該第１のブラケットによって動きを制限される第１の前脚部、及び前記第１の垂直柱に取り付けられた第２のブラケットに取り付けられ、該第２のブラケットによって動きを制限される第１の後脚部と、
前記第２の垂直柱に取り付けられた第３のブラケットに取り付けられ、該第３のブラケットによって動きを制限される第２の前脚部、及び前記第２の垂直柱に取り付けられた第４のブラケットに取り付けられ、該第４のブラケットによって動きを制限される第２の後脚部と、
を備えることを特徴とするポータブルエクササイズ装置。
【請求項１３】
前記第１の垂直柱及び前記第２の垂直柱に取り付けられた第２の水平バーと、
前記第１の垂直柱及び前記第２の垂直柱に取り付けられた第３の水平バーと、
前記第２の水平バー及び前記第３の水平バーに取り付けられた後板と、
前記後板に取り付けられた床板と、
をさらに備える請求項１２に記載の装置。
【請求項１４】
前記第１の前脚部は、第１のピンによって前記第１のブラケットに取り付けられ、前記第１の後脚部は、第２のピンによって前記第２のブラケットに取り付けられ、前記第２の前脚部は、第３のピンによって前記第３のブラケットに取り付けられ、前記第２の後脚部は、第４のピンによって前記第４のブラケットに取り付けられる、
請求項１２に記載の装置。
【請求項１５】
前記第１の垂直柱の底部と床との間の距離は、少なくとも１．８０インチであり、前記第２の垂直柱の底部と床との間の距離は、少なくとも１．８０インチである、
請求項１２に記載の装置。
【請求項１６】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取る第１の垂直柱と、
前記第２のネック部を受け取る第２の垂直柱と、
前記第１の垂直柱に取り付けられた１又は２以上の脚部と、
前記第２の垂直柱に取り付けられた１又は２以上の脚部と、
を備え、
前記第１のネック部は、第１のＴ字形ノブによって前記第１の垂直柱に固定されて、前記Ｔ字形ノブが前記第１の垂直柱から引き離された時に垂直に動くことができ、
前記第２のネック部は、第２のＴ字形ノブによって前記第２の垂直柱に固定されて、前記Ｔ字形ノブが前記第２の垂直柱から引き離された時に垂直に動くことができる、
ことを特徴とするポータブルエクササイズ装置。
【請求項１７】
前記第１の垂直柱及び前記第２の垂直柱に取り付けられた第２の水平バーと、
前記第１の垂直柱及び前記第２の垂直柱に取り付けられた第３の水平バーと、
前記第２の水平バー及び前記第３の水平バーに取り付けられた後板と、
前記後板に取り付けられた床板と、
をさらに備える請求項１６に記載の装置。
【請求項１８】
前記第１のＴ字形ノブは、ゴムの外装を含み、前記第２のＴ字形ノブは、ゴムの外装を含む、
請求項１６に記載の装置。
【請求項１９】
前記第１のネック部及び前記第２のネック部は上向きに延び、前記第１の水平バーが床から少なくとも２８インチに位置するように前記第１のＴ字形ノブ及び前記第２のＴ字形ノブによって固定することができる、
請求項１６に記載の装置。
【請求項２０】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の垂直柱と、
前記第２のネック部を受け取り、該第２のネック部を内部で移動させて前記第１の水平バーの鉛直高さを変更できる第２の垂直柱と、
前記第１の垂直柱に取り付けられた１又は２以上の脚部と、
前記第２の垂直柱に取り付けられた１又は２以上の脚部と、
を備え、前記第１の垂直柱に取り付けられた前記１又は２以上の脚部及び前記第２の垂直柱に取り付けられた前記１又は２以上の脚部の各々は、前記脚部を床上に支持する調整可能な足部機構を含む、
ことを特徴とするポータブルエクササイズ装置。
【請求項２１】
前記第１の垂直柱及び前記第２の垂直柱に取り付けられた第２の水平バーと、
前記第１の垂直柱及び前記第２の垂直柱に取り付けられた第３の水平バーと、
前記第２の水平バー及び前記第３の水平バーに取り付けられた後板と、
前記後板に取り付けられた床板と、
をさらに備える請求項２０に記載の装置。
【請求項２２】
各調整可能な足部機構は、足部と、該足部をロックするノブと、前記足部を解放するレバーとを含む、
請求項２０に記載の装置。
【請求項２３】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の垂直柱と、
前記第２のネック部を受け取り、該第２のネック部を内部で移動させて前記第１の水平バーの鉛直高さを変更できる第２の垂直柱と、
前記第１の垂直柱及び前記第２の垂直柱に取り付けられた第２の水平バーと、
前記第１の垂直柱及び前記第２の垂直柱に取り付けられた第３の水平バーと、
前記第２の水平バー及び前記第３の水平バーに取り付けられた後板と、
ヒンジに取り付けられた床板と、
前記ヒンジに取り付けられた後板と、
を備え、前記ヒンジは垂直方向に移動可能であり、前記床板は、内側に折り畳んだ時には床に接触せず、外側に広げた時にはユーザが床に押し付けることができる、
ことを特徴とするポータブルエクササイズ装置。
【請求項２４】
前記ヒンジは、ばね付勢される、
請求項２３に記載の装置。
【請求項２５】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の垂直柱と、
前記第２のネック部を受け取り、該第２のネック部を内部で移動させて前記第１の水平バーの鉛直高さを変更できる第２の垂直柱と、
前記第１の垂直柱及び前記第２の垂直柱に取り付けられた第２の水平バーと、
前記第１の垂直柱及び前記第２の垂直柱に取り付けられた第３の水平バーと、
前記第２の水平バー及び前記第３の水平バーに取り付けられた後板と、
ヒンジに取り付けられた床板と、
前記ヒンジに取り付けられた後板と、
前記第１の垂直柱に取り付けられた第１の脚部と、
前記第２の垂直柱に取り付けられた第２の脚部と、
を備え、前記床板は、前記第１の脚部を内側に折り畳んだ時に前記第１の脚部を磁力によって引き付ける第１の磁石と、前記第２の脚部を内側に折り畳んだ時に脚部を磁力によって前記第２の引き付ける第２の磁石とを含む、
ことを特徴とするポータブルエクササイズ装置。
【請求項２６】
前記第１の磁石は、前記床板内の第１のボアに埋め込まれ、前記第２の磁石は、前記床板内の第２のボアに埋め込まれる、
請求項２５に記載の装置。
【請求項２７】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の垂直柱と、
前記第２のネック部を受け取り、該第２のネック部を内部で移動させて前記第１の水平バーの鉛直高さを変更できる第２の垂直柱と、
前記第１の垂直柱及び前記第２の垂直柱に取り付けられた第２の水平バーと、
前記第１の垂直柱及び前記第２の垂直柱に取り付けられた第３の水平バーと、
前記第２の水平バー及び前記第３の水平バーに取り付けられた後板と、
ヒンジに取り付けられた床板と、
前記ヒンジに取り付けられた後板と、
前記第１の垂直柱に取り付けられた第１の脚部と、
前記第２の垂直柱に取り付けられた第２の脚部と、
前記床板を受け取るポケットを含むマットと、
を備えることを特徴とするポータブルエクササイズ装置。
【請求項２８】
前記マットは前記後板を覆い、１又は２以上のストラップによって前記第３の水平バーに取り付けられる、
請求項２７に記載の装置。
【請求項２９】
第１の端部及び第２の端部を有する第１の水平バーと、
前記第１の水平バーに巻き回されて第１のボルトによって固定された第１のバンドと、
前記第１のバンドを貫通して前記第１の水平バーに埋め込まれた第１のねじと、
を含む第１のクランプ装置によって前記第１の端部に取り付けられた第１のネック部と。
【請求項３０】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の垂直柱と、
前記第２のネック部を受け取り、該第２のネック部を内部で移動させて前記第１の水平バーの鉛直高さを変更できる第２の垂直柱と、
前記第１の垂直柱及び前記第２の垂直柱に取り付けられた第２の水平バーと、
前記第１の垂直柱及び前記第２の垂直柱に取り付けられた第３の水平バーと、
前記第２の水平バー及び前記第３の水平バーに取り付けられた後板と、
ヒンジに取り付けられた床板と、
前記ヒンジに取り付けられた後板と、
前記第１の垂直柱に取り付けられた第１の脚部と、
前記第２の垂直柱に取り付けられた第２の脚部と、
を備えることを特徴とするポータブルエクササイズ装置。
【請求項３１】
前記第１の脚部はフックを含み、前記第２の脚部はコネクタを含み、前記フックは、前記コネクタに結合して、前記第１の脚部及び前記第２の脚部を折り畳み位置に保持することができる、
請求項３０に記載の装置。
【請求項３２】
前記第１の脚部上の第１のベルクロパッチと、前記第２の脚部上の第２のベルクロパッチと、前記床板上の第３のベルクロパッチとをさらに備え、前記第３のベルクロパッチは、前記第１のベルクロパッチ及び第２のベルクロパッチと整列して、前記第１の脚部及び前記第２の脚部を折り畳み位置に保持する、
請求項３０に記載の装置。
【請求項３３】
前記床板に取り付けられて前記第１の脚部を折り畳み位置に保持する第１のストラップと、前記床板に取り付けられて前記第２の脚部を折り畳み位置に保持する第２のストラップとをさらに備える、
請求項３０に記載の装置。
【請求項３４】
前記第１の脚部及び前記第２の脚部に取り付けられて前記第１の脚部及び前記第２の脚部を折り畳み位置に保持するストラップをさらに備える、
請求項３０に記載の装置。
【請求項３５】
前記第１の脚部は、第１の摩擦ブッシング機構によって前記第１の垂直柱に取り付けられ、前記第２の脚部は、第２の摩擦ブッシング機構によって前記第２の垂直柱に取り付けられ、前記第１の摩擦ブッシング機構は、前記第１の脚部の動きを妨げ、前記第２の摩擦ブッシング機構は、前記第２の脚部の動きを妨げる、
請求項３０に記載の装置。
【請求項３６】
前記第１の脚部は、第１のばね式ボールプランジャ機構によって前記第１の垂直柱に取り付けられ、前記第２の脚部は、第２のばね式ボールプランジャ機構によって前記第２の垂直柱に取り付けられ、前記第１のばね式ボールプランジャ機構は、前記第１の脚部を折り畳み位置に保ち、前記第２のばね式ボールプランジャ機構は、前記第２の脚部を折り畳み位置に保つ、
請求項３０に記載の装置。
【請求項３７】
前記床板に取り付けられて前記第１の脚部を折り畳み位置に保持する第１のジッパー付きポケットと、前記床板に取り付けられて前記第２の脚部を折り畳み位置に保持する第２のジッパー付きポケットとをさらに備える、
請求項３０に記載の装置。
【請求項３８】
前記第１の脚部を閉位置に保つ第１のピンと、前記第２の脚部を閉位置に保つ第２のピンとをさらに備え、前記第１の脚部は、前記第１のピンの上方に持ち上げて開位置に至らせることができ、前記第２の脚部は、前記第２のピンの上方に持ち上げて開位置に至らせることができる、
請求項３０に記載の装置。
【請求項３９】
前記第１のネック部は、第１のカラー機構によって前記第１の垂直柱に固定され、前記第２のネック部は、第２のカラー機構によって前記第２の垂直柱に固定される、
請求項３０に記載の装置。
【請求項４０】
前記第１のネック部は、第１のカムロック爪機構によって前記第１の垂直柱に固定され、前記第２のネック部は、第２のカムロック爪機構によって前記第２の垂直柱に固定される、
請求項３０に記載の装置。
【請求項４１】
前記第１のネック部は、第１のばね式ピン機構によって前記第１の垂直柱に固定され、前記第２のネック部は、第２のばね式ピン機構によって前記第２の垂直柱に固定される、請求項３０に記載の装置。
【請求項４２】
前記第１のネック部は、第１の押しボタン式側部ロック機構によって前記第１の垂直柱に固定され、前記第２のネック部は、第２の押しボタン式側部ロック機構によって前記第２の垂直柱に固定される、
請求項３０に記載の装置。
【請求項４３】
前記第１のネック部は、第１の継手によって前記第１の水平バーに取り付けられ、前記第２のネック部は、第２の継手によって前記第１の水平バーに取り付けられる、
請求項３０に記載の装置。
【請求項４４】
前記第１のネック部の垂直位置を調整する第１のねじジャッキ機構と、前記第２のネック部の垂直位置を調整する第２のねじジャッキ機構とをさらに備える、
請求項３０に記載の装置。
【請求項４５】
前記第１の水平バーの鉛直高さを調整するケーブル持ち上げ機構をさらに備える、
請求項３０に記載の装置。
【請求項４６】
前記第１のネック部の垂直位置を調整する第１のガスシリンダーリフトと、前記第２のネック部の垂直位置を調整する第２のガスシリンダーリフトとをさらに備える、
請求項３０に記載の装置。
【請求項４７】
前記第１の水平バーの垂直位置を調整する足部ポンプリフトをさらに備える、
請求項３０に記載の装置。
【請求項４８】
前記第１の水平バーの垂直位置を調整するばね持ち上げ機構をさらに備える、
請求項３０に記載の装置。
【請求項４９】
前記第１の水平バーの垂直位置を調整する足部リフト機構をさらに備える、
請求項３０に記載の装置。
【請求項５０】
前記第１の水平バーの垂直位置を調整する中心持ち上げ機構をさらに備える、
請求項３０に記載の装置。
【請求項５１】
前記第１の垂直柱及び前記第２の垂直柱に取り付けられた複数の水平バーをさらに備える、
請求項３０に記載の装置。
【請求項５２】
前記第１のネック部と前記第１の水平バーとの間の第１の継手と、前記第２のネック部と前記第１の水平バーとの間の第２の継手とをさらに備え、前記第１の水平バーは、前記第１の継手及び前記第２の継手を中心に回転することができる、
請求項３０に記載の装置。
【請求項５３】
前記第１のネック部内の複数のスロットと、前記第２のネック部内の複数のスロットとをさらに備え、各スロットは、前記第１の水平バーを受け取ることができる、
請求項３０に記載の装置。
【請求項５４】
前記第１の垂直柱を支持する第１の支持部材と、前記第２の垂直柱を支持する第２の支持部材とをさらに備え、
前記第１の支持部材は、
前記第１の垂直柱に取り付けられた第１の端部と、第２の端部とを含む第１の要素と、
前記第１の垂直柱に取り付けられた第１の端部と、第２の端部とを含む第２の要素と、
を含み、前記第１の要素の前記第２の端部が前記第２の要素の前記第２の端部に向かって移動すると前記第１の垂直柱の高さが増加し、
前記第２の支持部材は、
前記第２の垂直柱に取り付けられた第１の端部と、第２の端部とを含む第３の要素と、
前記第２の垂直柱に取り付けられた第１の端部と、第２の端部とを含む第４の要素と、
を含み、前記第３の要素の前記第２の端部が前記第４の要素の前記第２の端部に向かって移動すると前記第２の垂直柱の高さが増加する、
請求項３０に記載の装置。
【請求項５５】
前記第１のネック部を支持する第１の減衰グリース機構と、前記第２のネック部を支持する第２の減衰グリース機構とをさらに備える、
請求項３０に記載の装置。
【請求項５６】
前記第１のネック部は、前記第１の垂直柱内に摺動自在に埋め込まれ、前記第２のネック部は、前記第２の垂直柱内に摺動自在に埋め込まれる、
請求項３０に記載の装置。
【請求項５７】
前記第１の垂直柱は、前記第１のネック部に係合するローラを含み、前記第２の垂直柱は、前記第２のネック部に係合するローラを含む、
請求項３０に記載の装置。
【請求項５８】
前記第１のネック部に結合されて前記第１の垂直柱上を垂直に摺動する第１のキャリッジと、前記第２のネック部に結合されて前記第２の垂直柱上を垂直に摺動する第２のキャリッジとをさらに備える、
請求項３０に記載の装置。
【請求項５９】
前記第１の水平バーに取り付けられて前記第１のネック部内で水平に摺動可能な第１の支持部材と、前記第１の水平バーに取り付けられて前記第２のネック部内で水平に摺動可能な第２の支持部材とをさらに備える、
請求項３０に記載の装置。
【請求項６０】
前記第１の水平バーは、ばね機構を用いて取り外し可能である、
請求項３０に記載の装置。
【請求項６１】
前記第１の脚部は、固定位置において前記第１の垂直柱に取り付けられ、前記第２の脚部は、固定位置において前記第２の垂直柱に取り付けられる、
請求項３０に記載の装置。
【請求項６２】
前記第１の脚部は、前記第１の垂直柱に向けて垂直に折り畳むことができ、前記第２の脚部は、前記第２の垂直柱に向けて垂直に折り畳むことができる、
請求項３０に記載の装置。
【請求項６３】
前記床板を固定位置に保持する第１の支持部材と、前記床板を固定位置に保持する第２の支持部材とをさらに備える、
請求項３０に記載の装置。
【請求項６４】
前記床板に取り付けられた第１の折り畳み可能な支持部材と、前記床板に取り付けられた第２の折り畳み可能な支持部材とをさらに備える、
請求項３０に記載の装置。
【請求項６５】
前記第１の脚部、前記第２の脚部及び前記床板が伸長位置にある場合、前記第１の脚部及び前記第２の脚部は、前記床板の上に延びる、
請求項３０に記載の装置。
【請求項６６】
前記第１の脚部に結合された第１の格納式ホイールと、前記第２の脚部に結合された第２の格納式ホイールとをさらに備える、
請求項３０に記載の装置。
【請求項６７】
ユーザが前記第２の垂直柱を持ち上げた時に前記装置が転がるようにする、前記第１の垂直柱に取り付けられた１又は２以上のホイールをさらに備える、
請求項３０に記載の装置。
【請求項６８】
前記第１の脚部は、第１の傾斜ブラケットによって前記第１の垂直柱に取り付けられ、前記第２の脚部は、第２の傾斜ブラケットによって前記第２の垂直柱に取り付けられる、請求項３０に記載の装置。
【請求項６９】
前記第１のネック部及び前記第２のネック部は、前記第１の水平バーの下側に取り付けられる、
請求項３０に記載の装置。
【請求項７０】
前記第１のネック部及び前記第２のネック部は、前記第１の水平バーの軸に取り付けられる、
請求項３０に記載の装置。
【請求項７１】
前記水平バーの前記第１の端部は、前記第１のネック部によって覆われ、前記水平バーの前記第２の端部は、前記第２のネック部によって覆われる、
請求項３０に記載の装置。
【発明の詳細な説明】
【技術分野】
【０００１】
モジュール式ポータブルバレエバーエクササイズ装置の複数の実施形態を開示する。
【背景技術】
【０００２】
固定式バレエバーは、ダンススタジオ及び運動施設における標準設備である。バレエバーは、バランスを保ちながらストレッチ、ダンス、心血管運動、ウェイトトレーニング及びその他の運動活動を行うダンサー及び人物によって使用される。
【０００３】
先行技術における従来の自立式バレエバーは比較的重量があり、移動及び使用が面倒であった。また、従来の自立式バレエバーは、容易にコンパクトな形に折り畳むことができないため保管が困難でもあった。
【０００４】
本出願の譲受人は、自立式バレエバーエクササイズ装置における革新者であるとともに、米国特許第６，７４３，１５２号及び米国特許第７，６０８，０２９号を以前に取得しており、これらの両文献は引用により本明細書に組み入れられる。これらの特許の発明は、先行技術を大きく改善したが、それでもやはり欠点を含んでいた。
【先行技術文献】
【特許文献】
【０００５】
【特許文献１】米国特許第６，７４３，１５２号明細書
【特許文献２】米国特許第７，６０８，０２９号明細書
【発明の概要】
【発明が解決しようとする課題】
【０００６】
高さの調整が可能であって先行技術の装置よりも組み立て、折り畳み、移動及び保管が容易な改善されたポータブルバレエバーエクササイズ装置が必要とされている。さらに、改善された構造設計のポータブルバレエバーが必要とされている。さらに、製造及び組立工程を単純にするために構成部品数の少ないポータブルバレエバーが必要とされている。さらに、単一の独立ユニット、又は単一の壁取り付けユニットとして使用できるような、或いは同一のユニットと組み合わせて二重独立ユニット又は二重壁取り付けユニットを形成できるような、本質的にモジュール式のポータブルバレエバーが必要とされている。
【課題を解決するための手段】
【０００７】
ポータブルバレエバーエクササイズ装置の複数の実施形態を開示する。
【図面の簡単な説明】
【０００８】
【図１】脚部及び床板を内側に折り畳んだ単一ユニットポータブルエクササイズバー装置の実施形態の正面図である。
【図２】脚部及び床板を内側に折り畳んだ単一ユニットポータブルエクササイズバー装置の実施形態の背面図である。
【図３】脚部及び床板を内側に折り畳んだ単一ユニットポータブルエクササイズバー装置の実施形態の側面図である。
【図４】脚部を外側に広げて床板を内側に折り畳んだ単一ユニットポータブルエクササイズバー装置の実施形態の正面図である。
【図５】脚部及び床板を外側に広げた単一ユニットポータブルエクササイズバー装置の実施形態の正面図である。
【図６】脚部及び床板を外側に広げてマットを取り付けた単一ユニットポータブルエクササイズバー装置の実施形態の正面図である。
【図７】脚部を外側に広げた単一ユニットポータブルエクササイズバー装置の実施形態の背面図である。
【図８】脚部を外側に広げてマットを取り付けた単一ユニットポータブルエクササイズバー装置の実施形態の背面図である。
【図９】脚部及び床板を外側に広げてマットを取り付けた単一ユニットポータブルエクササイズバー装置の実施形態の側面図である。
【図１０】壁部に取り付けた単一ユニットポータブルエクササイズバー装置の実施形態の正面図である。
【図１１】壁部に取り付けてマットを取り付けた単一ユニットポータブルエクササイズバー装置の実施形態の正面図である。
【図１２】壁部に取り付けることができる単一ユニットポータブルエクササイズバー装置の実施形態の背面図である。
【図１３】壁部に取り付けてマットを取り付けた単一ユニットポータブルエクササイズバー装置の実施形態の側面図である。
【図１４】脚部アセンブリの実施形態を示す図である。
【図１５】脚部及び床板を内側に折り畳んだ二重ユニットポータブルエクササイズバー装置の実施形態の正面図である。
【図１６】脚部を外側に広げて床板を内側に折り畳んだ二重ユニットポータブルエクササイズバー装置の実施形態の正面図である。
【図１７】脚部及び床板を外側に広げた二重ユニットポータブルエクササイズバー装置の実施形態の正面図である。
【図１８】脚部及び床板を内側に折り畳んだ二重ユニットポータブルエクササイズバー装置の実施形態の側面図である。
【図１９】脚部及び床板を外側に広げてマットを取り付けた二重ユニットポータブルエクササイズバー装置の実施形態の正面図である。
【図２０】脚部及び床板を外側に広げてマットを取り付けた二重ユニットポータブルエクササイズバー装置の実施形態の側面図である。
【図２１】脚部及び床板を内側に折り畳んだ二重ユニットポータブルエクササイズバー装置の実施形態の上面図である。
【図２２】二重ユニットポータブルエクササイズバー装置を二等分して壁部に取り付けた実施形態の正面図である。
【図２３】ポータブルエクササイズバー装置の床板のボアに埋め込まれた磁石を示す図である。
【図２４】ポータブルエクササイズバー装置の水平バーを保持するクランプ機構を示す図である。
【図２５】ポータブルエクササイズバー装置の２つの脚部を固定するフック機構を示す図である。
【図２６】ポータブルエクササイズバー装置の２つの脚部を固定するベルクロ機構を示す図である。
【図２７】ポータブルエクササイズバー装置の２つの脚部を固定するストラップ機構を示す図である。
【図２８】ポータブルエクササイズバー装置の２つの脚部を固定するストラップ機構を示す図である。
【図２９】ポータブルエクササイズバー装置の脚部を固定する摩擦ブッシング機構を示す図である。
【図３０】ポータブルエクササイズバー装置の脚部を固定するばね式ボールプランジャ機構を示す図である。
【図３１】ポータブルエクササイズバー装置の脚部を固定するジッパー機構を示す図である。
【図３２Ａ】ポータブルエクササイズバー装置の脚部を固定する持ち上げ回転機構を示す図である。
【図３２Ｂ】ポータブルエクササイズバー装置の脚部を固定する持ち上げ回転機構を示す図である。
【図３３】ポータブルエクササイズバー装置の垂直部材を固定するカラー機構を示す図である。
【図３４】ポータブルエクササイズバー装置の垂直部材を固定するカムロック爪を示す図である。
【図３５】ポータブルエクササイズバー装置の垂直部材を固定するばね式ピン機構を示す図である。
【図３６】ポータブルエクササイズバー装置の垂直部材を固定する押しボタン式側部ロック機構を示す図である。
【図３７】ポータブルエクササイズバー装置の水平バーの高さを調整する独立調整機構を示す図である。
【図３８】ポータブルエクササイズバー装置の水平バーの高さを調整するねじジャッキ機構を示す図である。
【図３９】ポータブルエクササイズバー装置の水平バーの高さを調整するケーブル持ち上げ機構を示す図である。
【図４０】ポータブルエクササイズバー装置の水平バーの高さを調整するガスシリンダーリフトを示す図である。
【図４１】ポータブルエクササイズバー装置の水平バーの高さを調整するフットポンプリフトを示す図である。
【図４２】ポータブルエクササイズバー装置の水平バーの高さを調整するばね持ち上げ機構を示す図である。
【図４３】ポータブルエクササイズバー装置の水平バーの高さを調整するフットリフトを示す図である。
【図４４】ポータブルエクササイズバー装置の水平バーの高さを調整する中心持ち上げ機構を示す図である。
【図４５】ポータブルエクササイズバー装置の多重バー機構を示す図である。
【図４６】ポータブルエクササイズバー装置の回転バー機構を示す図である。
【図４７】ポータブルエクササイズバー装置の多重スロット機構を示す図である。
【図４８】ポータブルエクササイズバー装置の多重バー連結機構を示す図である。
【図４９】ポータブルエクササイズバー装置の減衰グリース機構を示す図である。
【図５０】ポータブルエクササイズバー装置の水平バーを垂直に摺動する押し出し機構内の押し出し部を示す図である。
【図５１】ポータブルエクササイズバー装置の水平バーを垂直に摺動するローラ機構付きストック管（ｓｔｏｃｋ  ｔｕｂｉｎｇ）を示す図である。
【図５２】ポータブルエクササイズバー装置の水平バーを垂直に摺動する外部キャリッジ機構を示す図である。
【図５３】ポータブルエクササイズバー装置の回転バーを示す図である。
【図５４】ポータブルエクササイズバー装置の伸縮バーを示す図である。
【図５５】ポータブルエクササイズバー装置の取り外し可能バーを示す図である。
【図５６】ポータブルエクササイズバー装置の固定式脚部機構を示す図である。
【図５７】ポータブルエクササイズバー装置の折り畳み式脚部機構を示す図である。
【図５８】ポータブルエクササイズバー装置の固定式床板機構を示す図である。
【図５９】ポータブルエクササイズバー装置の折り畳み式床板機構を示す図である。
【図６０】ポータブルエクササイズバー装置の広がった床板を示す図である。
【図６１】ポータブルエクササイズバー装置の格納式ホイール機構を示す図である。
【図６２】ポータブルエクササイズバー装置のホイール機構を示す図である。
【図６３】ポータブルエクササイズバー装置の脚部を垂直柱に取り付けるブラケットを示す図である。
【図６４】ポータブルエクササイズバー装置の水平バーの下側取り付け方法を示す図である。
【図６５】ポータブルエクササイズバー装置の水平バーの中心取り付け方法を示す図である。
【図６６】ポータブルエクササイズバー装置の水平バーの端部取り付け方法を示す図である。
【図６７】ポータブルエクササイズバー装置の脚部取り付け機構を示す図である。
【図６８】ポータブルエクササイズバー装置において使用するネック部の側面図である。
【図６９】ポータブルエクササイズバー装置において使用する、図６８のネック部の反対側の側面図である。
【図７０】ポータブルエクササイズバー装置において使用する、図６８〜図６９のネック部を受け取る垂直柱の上面図である。
【図７１】ポータブルエクササイズバー装置において使用する垂直柱及びネック部の上面図である。
【図７２】ポータブルエクササイズバー装置において使用する、垂直柱内のネック部に力を加える定荷重ばねの正面から見た断面を示す図である。
【図７３】ポータブルエクササイズバー装置において使用する、垂直柱内のネック部に力を加える定荷重ばねの正面から見た断面を示す図である。
【図７４】ポータブルエクササイズバー装置において使用する、ネック部に取り付けられた定荷重ばねの側面図である。
【発明を実施するための形態】
【０００９】
独立型単一ユニットポータブルエクササイズバー
図１は、ポータブルエクササイズバー１００の実施形態の正面図である。ポータブルエクササイズバー１００は、単一ユニットである。ポータブルエクササイズバー１００は、水平バー１１０、ネック部１２１、ネック部１２２、垂直柱１３１、垂直柱１３２、ノブ１４１、ノブ１４２、床板１５０、ヒンジ１５１、クロスバー１６０、脚部１７１、脚部１７２、脚部１７３、脚部１７４、シャフト１７６、シャフト１７７、シャフト１７８（図示せず）、シャフト１７９（図示せず）、足部機構１８１、足部機構１８２、ホイール１９１、ホイール１９２、ホイール１９３及びホイール１９４を含む。
【００１０】
水平バー１１０は、任意にバレエバーである。水平バー１１０は、ネック部１２１及びネック部１２２によって適所に固定される。ネック部１２１は、クランプ機構１２３を含み、ネック部１２２は、クランプ機構１２４を含む。クランプ機構１２３及びクランプ機構１２４は、クランプ機構１２３及びクランプ機構１２４内で水平バー１１０が動かないように水平バー１１０に固定される。
【００１１】
図２４に、クランプ機構１２３及びクランプ機構１２４に関するさらなる詳細を示す。クランプ機構１２３及び１２４は、それぞれがバンド２４１０、ねじ２４２０及びボルト２４３０を含む。バンド２４１０は、水平バー１１０に巻き回され、ボルト２４３０を用いて締め付けられる。ボルト２４３０は、任意に六角ボルトとすることができる。ねじ２４２０は、バンド２４１０を貫通して水平バー１１０に挿入される。
【００１２】
図１を参照すると、ネック部１２１は、ノブ１４１が垂直柱１３１から外向きに引っ張られると、垂直柱１３１内で摺動することができ、ノブ１４１が外向きに引っ張られていない時には、ノブ１４１によって垂直柱１３１内の適所に保持される。ネック部１２２は、ノブ１４２が垂直柱１３２から外向きに引っ張られると、垂直柱１３２内で摺動することができ、ノブ１４２が外向きに引っ張られていない時には、ノブ１４２によって垂直柱１３２内の適所に保持される。ノブ１４１及びノブ１４２は、任意にばね付勢される。この例示的な実施形態では、ノブ１４１及びノブ１４２が、人の手で把持して引っ張りやすい形状のＴ字形である。円形などの他の形状も可能である。１つの実施形態では、ネック部１２１及びネック部１２２を、水平バー１１０が床から少なくとも２８．００インチに位置するようになる最大垂直位置においてノブ１４１及びノブ１４２によってそれぞれ適所に保持することができる。
【００１３】
垂直柱１３１及び垂直柱１３２には、クロスバー１６０が結合される。
【００１４】
床板１５０は、ヒンジ１５１に結合され、ヒンジ１５１は、（図４に示す）クロスバー４１０にも結合される。任意に、ヒンジ１５１は、床板１５０を折り畳んだ時にヒンジ１５１が床から持ち上がってポータブルエクササイズバー１００の移動時に間隙をもたらすように設計される。床板１５０を床に広げると、ヒンジ１５１が床まで伸びて、床板１５０が床に接して配置されるようになる。例えば、ヒンジ１５１は、ユーザが床板１５０上に立った時に床板１５０が床に接して配置されるようにばね付勢することができる。
【００１５】
脚部１７１及び脚部１７３は、それぞれシャフト１７６及びシャフト１７８によって垂直柱１３１に結合される。脚部１７２及び脚部１７４は、それぞれシャフト１７７及び（図１ではなく図２に示す）１７９によって垂直柱１３２に結合される。シャフト１７６、１７７、１７８及び１７９は、任意に図示のように脚部に埋め込まれる。脚部１７１は、（図１〜図３に示す）折り畳み位置と（図４〜図９に示す）伸張位置との間でシャフト１７６を中心に回転することができる。任意に、垂直柱１３１及び１３２の各々は、シャフト１７６、１７７、１７８及び１７９を受け取る切欠部を含む。切欠部は、脚部１７１、１７２、１７３及び１７４がその展開位置において床板１５０と平行になる位置を越えて広がるのを防ぎ（すなわち、脚部の過伸展を防ぎ）、これはユーザの安全性を高める特徴である。脚部１７２、脚部１７３及び脚部１７４は、脚部１７１及びシャフト１７６について説明した方法と同様にそれぞれシャフト１７７、シャフト１７８及びシャフト１７９を中心に回転することができる。代替例では、シャフト１７６、１７７、１７８及び１７９の各々をブラケットに取り付け、ブラケットをさらに垂直柱１３１及び１３２に取り付けて、図６７に示す設計に従って脚部１７１、１７２、１７３及び１７４がその展開位置において床板１５０と平行になる位置を越えて広がるのを防ぐことができる。
【００１６】
１つの実施形態では、垂直柱１３１の底部と床との間の距離が少なくとも１．８０インチであり、垂直柱１３２の底部と床との間の距離が少なくとも１．８０インチである。
【００１７】
シャフト１７６、１７７、１７８及び１７９は、様々な設計が可能である。例えば、シャフト１７６、１７７、１７８及び１７９の各々が、脚部１７１、１７２、１７３及び１７４の各々に固定された中空シリンダをそれぞれ含み、各シリンダが、（シャフト１７６及び１７８については）垂直柱１３１及び（シャフト１７７及び１７９については）垂直柱１３２に固定された別のシリンダ（又はピン）を取り囲むことができる。別の例では、シャフト１７６、１７７、１７８及び１７９の各々が、脚部１７１、１７２、１７３及び１７４の各々に固定されたシリンダをそれぞれ含み、各シリンダの頂部及び底部から延びるばね付勢部材を垂直柱１３１及び１３２の窪みによって受け取ることができる。図１４に脚部及びシャフトの設計の１つの実施形態を示しており、これについては以下で説明する。
【００１８】
垂直柱１３１に接続された水平ブラケットには、ホイール１９１及び１９３が接続され、垂直柱１３２に接続された水平ブラケットには、ホイール１９２及び１９４が接続される。
【００１９】
脚部１７１には足部機構１８１が結合され、脚部１７２には足部機構１８２が結合され、脚部１７３には足部機構１８３（図示せず）が結合され、脚部１７４には足部機構１８４（図示せず）が結合される。足部機構１８１、１８２、１８３及び１８４は、それぞれがノブ及びレバーを含み、ユーザは、ノブを押すことによって各足部機構をロックし、レバーを押すことによってロックを解除することができる。
【００２０】
図２は、ポータブルエクササイズバー１００の実施形態の後面図である。ポータブルエクササイズバー１００は、水平バー２１０、ハンドル２２０、後板２３０、脚部１７３、脚部１７４、シャフト１７８、シャフト１７９、足部機構１８３及び足部機構１８４をさらに含む。
【００２１】
水平バー２１０は、水平バー１１０と実質的に平行であり、ネック部１２１及びネック部１２２に結合される。水平バー２１０は、ポータブルエクササイズバー１００にさらなる安定性をもたらす。
【００２２】
クロスバー１６０にはハンドル２２０が結合され、ポータブルエクササイズバー１００を持ち運び又は転がすために使用することができる。ハンドル２２０は、床板１５０及びマット６１０を折り畳み位置に保持するために使用することもできる。例えば、ラッチ又はベルクロストラップ（図示せず）を使用して、床板１５０を内側に折り畳んだ時に床板１５０をハンドル２２０に接続することができる。
【００２３】
図３は、ポータブルエクササイズバー１００の実施形態の側面図である。
【００２４】
図４は、ポータブルエクササイズバー１００の別の正面図である。この図では、脚部１７１、１７２、１７３及び１７４が外側に広がっている。後板２３０は、クロスバー１６０及びクロスバー４１０に結合される。クロスバー４１０は、垂直柱１３１及び垂直柱１３２に結合される。
【００２５】
床板１５０は、磁石４２１及び磁石４２２を含む。（図１のような）折り畳み位置では、磁石４２１が磁力を通じて脚部１７１を床板１５０に対して保持し、磁石４２２が磁力を通じて脚部１７２を床板１５０に対して保持する。
【００２６】
図５は、床板１５０が地面に展開されている点を除いて図４と同じ図である。床板１５０は、ボア５２１及びボア５２２を含む。磁石４２１はボア５２１内に配置され、磁石４２２はボア５２２内に配置される。ボア５２１及びボア５２２の直径は、磁石４２１及び４２２が床板１５０自体によって床板１５０内に保持されるように床板１５０の外側に面する側（すなわち、図４に示す床板１５０の側）の方が小さく、製造工程中に磁石４２１及び４２２をボア５２１及び５２２内に容易に配置できるように床板１５０の後板２３０に面する側の方が大きいことが好ましい。磁石４２１及び４２２は、任意にエポキシ又はその他の接着剤又は機械的手段（例えば、締結具付きの金属板）によってボア５２１及び５２２内にそれぞれ固定される。
【００２７】
以下で図７を参照しながら説明するように、後板２３０はボア５３１及びボア５３２を含み、ここには他の磁石が配置される。ボア５３１及び５３２は、ボア５２１及び５２２と同様に設計される。
【００２８】
図２３は、図４〜図５（及び後述する図１６〜図１７）に示す磁石及びボアに関するさらなる詳細を含む。磁気システム２３００を示す。床板２３１０は、ボア２３４０を含む。ボア２３４０内には磁石２３３０が配置され、接着剤２３２０を用いて固定される。ボア２３４０は、第１の直径２３４１（本発明者が画像を正しく読み取っていなければ、２３４１との表記が必要であると考える）を有する部分と、第２の直径２３４２を有する部分とを含み、磁石２３３０の直径２３４３は、第１の直径２３４１よりも大きく、第２の直径２３４２よりも小さい。磁石２３３０は、既知の磁気原理に従って磁場を生じる。この磁場は、脚部２３６０と磁石２３３０との間にマット２３５０を配置した場合でも脚部２３６０を磁石２３３０の方に引き付ける。磁石２３３０は、床板２３１０によって適所に保持される。磁石２３３０は、任意にネオジム磁石又はサマリウムコバルト磁石などの希土類磁石とすることができ、ユニットの移動中でも脚部２３６０が適所に保持されるとともに、通常のユーザが脚部を広げてポータブルエクササイズバーを使用したいと望む時に手又は足を使って脚部を外向きに押し／引くことによって克服しやすいように選択されることが理想である。
【００２９】
図６には、図６及び図８に示すように床板１５０上にマット６１０が配置されて後板２３０を包み込んでいる点を除き、図５に示すものと同じ構成のポータブルエクササイズバー１００を示す。マット６１０は、折り目６２１及び６２２において接合する部分６１１、６１２及び６１３を任意に含む。ユーザは、脚部１７１及び１７２、並びに床板１５０を広げた後にマット６１０を追加することも、或いはマット６１０を床板１５０及び後板２３０に結合して、床板１５０、並びに脚部１７１及び１７２を内側に折り畳んだ時でも取り付けられたままにしておくこともできる。例えば、部分６１２は、床板１５０を包み込むポケットを含むことができる。マット６１０は、エクササイズ中のユーザによって利用され、床上に水増し部分を提供する。マット６１０は、ユーザがクロスバー１６０上に脚を配置することによって脚のストレッチを行う場合に有益な、クロスバー１６０のための水増し部分も提供する。任意に、部分６１２及び６１３は、床板１５０及び後板２３０にそれぞれ取り付けられた粘着性発泡材を覆うビニールカバーを含み、部分６１１は、発泡体を収容するビニール製エンクロージャを含む。
【００３０】
図７は、ポータブルエクササイズバー１００の別の後面図である。この図では、脚部１７３及び１７４が広がっている。後板２３０は、磁石７３１及び７３２を含む。磁石７３１は、ボア５３１内に配置され、磁石７３２は、（図２３に示す機構などを通じて）ボア５３２内に配置される。ボア５３１及びボア５３２の直径は、磁石７３１及び７３２が後板２３０自体によって後板２３０内に保持されるようにポータブルエクササイズバー１００の後側の後板２３０の側（すなわち、図７に示す後板２３０の側）の方が小さく、製造工程中に磁石７３１及び７３２をボア５３１及び５３２内に容易に配置できるように後板２３０の床板１５０に面する側の方が大きいことが好ましい。磁石７３１及び７３２は、任意にエポキシ又はその他の接着剤によってボア５３１及び５３２内にそれぞれ固定される。
【００３１】
（図２のような）折り畳み位置では、磁石７３１が磁力を通じて脚部１７３を後板２３０に対して保持し、磁石７３２が磁力を通じて脚部１７４を後板２３０に対して保持する。
【００３２】
図８は、マット６１０が、後板２３０の垂直な側面を包み込む部分６１４及び６１５と、ハンドル２２０に隣接して後板２３０の上面を覆う部分６１６及び６１７とを含む点を除き、図７と同じポータブルエクササイズバー１００の図である。これにより、マット６１０のさらなる安定性がもたらされる。マット６１０は、任意にヒンジ１５１に捩じ込むことができる。
【００３３】
図９は、ポータブルエクササイズバー１００の別の側面図である。この図では、床板１５０がクロスバー１６０から離れて展開し、脚部１７１、１７２、１７３及び１７４が広がっている。
【００３４】
ユーザによるポータブルエクササイズバー１００の操作中には、図４〜図９の構成を用いて床板１５０を展開し、脚部１７１、１７２、１７３及び１７４を広げてマット６１０を配置する。ユーザは、固定式バレエバーを使用する場合と全く同様に水平バー１２０を保持しながらエクササイズ又はストレッチを行うことができる。
【００３５】
壁取り付け型単一ユニットポータブルエクササイズバー
図１０〜図１３に別の実施形態を示す。図１０を参照すると、壁取り付け型ポータブルエクササイズバー１０００が、水平バー１０１０、ネック部１０２１、ネック部１０２２、垂直柱１０３１、垂直柱１０３２、ノブ１０４１、ノブ１０４２、（図１２に示す）後板１２２０、ヒンジ１０９０、クロスバー１０６０、クロスバー１０８０及びハンドル１０７０を含む。壁取り付け型ポータブルエクササイズバー１０００は、壁部１０９０に取り付けることができる。
【００３６】
水平バー１０１０は、任意にバレエバーである。水平バー１０１０は、ネック部１０２１及びネック部１０２２によって適所に固定される。ネック部１０２１は、クランプ機構１０２３を含み、ネック部１０２２は、クランプ機構１０２４を含む。クランプ機構１０２３及びクランプ機構１０２４は、クランプ機構１０２３及びクランプ機構１０２４内で水平バー１０１０が動かないように水平バー１０１０に固定される。
【００３７】
ネック部１０２１は、ノブ１０４１が垂直柱１０３１から外向きに引っ張られると、垂直柱１０３１内で摺動することができ、ノブ１０４１が外向きに引っ張られていない時には、ノブ１０４１によって垂直柱１０３１内の適所に保持される。ネック部１０２２は、ノブ１０４２が垂直柱１０３２から外向きに引っ張られると、垂直柱１０３２内で摺動することができ、ノブ１０４２が外向きに引っ張られていない時には、ノブ１０４２によって垂直柱１０３２内の適所に保持される。ノブ１０４１及びノブ１０４２は、任意にばね付勢される。この例示的な実施形態では、ノブ１０４１及びノブ１０４２が、人の手で把持して引っ張りやすい形状のＴ字形である。円形などの他の形状も可能である。１つの実施形態では、ネック部１０２１及びネック部１０２２を、水平バー１０１０が床から少なくとも２８．００インチに位置するようになる最大垂直位置においてノブ１０４１及びノブ１０４２によってそれぞれ適所に保持することができる。
【００３８】
垂直柱１０３１及び垂直柱１０３２には、クロスバー１０６０及びクロスバー１０８０が結合される。クロスバー１０６０及び１０８０は、ねじなどの取り付け装置を受け取るための複数の穴１０６１及び１０８１をそれぞれ任意に含む。
【００３９】
クロスバー１０６０及びクロスバー１０８０には、後板１２２０が結合される。
【００４０】
図１１には、図示のように後板１２２０上にマット１１１０が配置されている点を除き、図１０に示すものと同じ構成の壁取り付け型ポータブルエクササイズバー１０００を示す。マット１１１０は、折り目１１２１及び１１２２において接合する部分１１１１、１１１２及び１１１３を任意に含む。マット１１１０は、後板１２２０に取り付けることができる。例えば、部分１１１３は、ベルクロストラップを用いて後板１２２０に取り付けることができる。部分１１１１及び１１１２は、後板１２２０に向けて上向きに折り畳み、ベルクロストラップを用いてハンドル１０７０に取り付けることができる。
【００４１】
図１２は、ポータブルエクササイズバー１０００の実施形態の後面図である。壁取り付け型ポータブルエクササイズバー１０００は、水平バー１２１０をさらに含む。水平バー１２１０は、水平バー１１１０と実質的に平行であり、ネック部１１２１及びネック部１１２２に結合される。水平バー１２１０は、壁取り付け型ポータブルエクササイズバー１０００にさらなる安定性をもたらす。
【００４２】
図１３は、壁取り付け型ポータブルエクササイズバー１０００の側面図である。壁取り付け型ポータブルエクササイズバー１０００は、取り付け装置１３１０及び１３２０によって壁部１０９０に取り付けられる。取り付け装置１３１０及び１３２０の各々は、ねじなどによって壁部１０９０のスタッドに取り付けられる金属ブラケットを含むことができる。その後、複数の穴１０６１及び１０８１にナット及びボルトを通すことなどによってクロスバー１０６０及び／又はクロスバー１０８０を金属ブラケットに取り付ける。
【００４３】
当業者であれば、脚部１７１〜１７４、ホイール１９１〜１９４、シャフト１７６〜１７９及び足部機構１８１〜１８４を除去することによってポータブルエクササイズバー１００をポータブルエクササイズバー１０１０に変更することができると理解するであろう。従って、ポータブルエクササイズバー１００は、独立型ユニットとしても、又は壁取り付け型ユニットとしても使用することができる。
【００４４】
この目的のために、図１４にアセンブリ１４００を示す。アセンブリ１４００は、脚部１４１０、足部機構１４２０、ホイール１４３０及び取り付け機構１４４０を含む。取り付け機構１４４０は、（軸を中心とした脚部１４１０の回転を可能にする）シャフト１４４２、取り付け装置１４４３及び取り付け装置１４４４を任意に含む。任意に、取り付け装置１４４３及び取り付け装置１４４４は、取り付け機構１４４０の穴に通された後に垂直柱１３１及び１３２に捻じ込まれるねじである。従って、アセンブリ１４００は、ポータブルエクササイズバー１００の垂直柱１３１及び１３２に取り付けられた前脚部又は後脚部のいずれにも使用することができる。垂直柱１３１及び１３２の前側及び後側に取り付けた場合、ユニットは、ポータブルエクササイズバー１００になる。垂直柱１３１及び１３２の前側及び後側から取り外した場合、ユニットは、壁取り付け型ポータブルエクササイズバー１０００になる。アセンブリ１４００をこのように使用することで、（ポータブルエクササイズバー１００などの）独立ユニット、又は（壁取り付け型ポータブルエクササイズバー１０００などの）壁取り付けユニットとすることができる万能ポータブルエクササイズバーが構築される。
【００４５】
独立型二重ユニットポータブルエクササイズバー
図１５〜図２０に、独立型二重ユニットポータブルエクササイズバーの実施形態を示す。
【００４６】
図１５に、二重ユニットポータブルエクササイズバー１５００を示す。二重ユニットポータブルエクササイズバー１５００は、第１のモジュール１５０１及び第２のモジュール１５０２を含む。第１のモジュール１５０１と第２のモジュール１５０２は同一であり、図示のように背中合わせの構成で取り付けられる。
【００４７】
以下、第１のモジュール１５０１について説明する。この説明は、第２のモジュール１５０２にも当てはまると理解されたい。
【００４８】
第１のモジュール１５０１は、水平バー１５１０、ネック部１５２１、ネック部１５２２、垂直柱１５３１、垂直柱１５３２、ノブ１５４１、ノブ１５４２、床板１５５０、ヒンジ１５５１、クロスバー１５６０、脚部１５７１、脚部１５７２、シャフト１５７６、シャフト１５７７、足部機構１５８１、足部機構１５８２、ホイール１５９１及びホイール１５９２を含む。
【００４９】
水平バー１５１０は、任意にバレエバーである。水平バー１５１０は、ネック部１５２１及びネック部１５２２によって適所に固定される。ネック部１５２１は、クランプ機構１５２３を含み、ネック部１５２２は、クランプ機構１５２４を含む。クランプ機構１５２３及びクランプ機構１５２４は、クランプ機構１５２３及びクランプ機構１５２４内で水平バー１５１０が動かないように水平バー１５１０に固定される。クランプ機構１５２３及び１５２４は、上述した図２４の設計に従うことができる。
【００５０】
ネック部１５２１は、ノブ１５４１が垂直柱１５３１から外向きに引っ張られると、垂直柱１５３１内で摺動することができ、ノブ１５４１が外向きに引っ張られていない時には、ノブ１５４１によって垂直柱１５３１内の適所に保持される。ネック部１５２２は、ノブ１５４２が垂直柱１０３２か外向きに引っ張られると、垂直柱１５３２内で摺動することができ、ノブ１５４２が外向きに引っ張られていない時には、ノブ１５４２によって垂直柱１５３２内の適所に保持される。ノブ１５４１及びノブ１５４２は、任意にばね付勢される。この例示的な実施形態では、ノブ１５４１及びノブ１５４２が、人の手で把持して引っ張りやすい形状のＴ字形である。円形などの他の形状も可能である。
【００５１】
垂直柱１５３１及び垂直柱１５３２には、クロスバー１５６０が結合される。
【００５２】
垂直柱１５３１及び垂直柱１５３２には水平バー１５１５が結合されて、二重ユニットポータブルエクササイズバー１５００にさらなる安定性をもたらす。
【００５３】
床板１５５０は、ヒンジ１５５１に結合され、ヒンジ１５５１は、（図１６に示す）後板１６１０にも結合される。任意に、ヒンジ１５５１は、床板１５５０を折り畳んだ時にヒンジ１５１が床から持ち上がってポータブルエクササイズバー１５００の移動時に間隙をもたらすように設計される。床板１５５０を床に広げると、ヒンジ１５５１が床まで伸びて、床板１５５０が床に接して配置されるようになる。例えば、ヒンジ１５５１は、ユーザが床板１５５０上に立った時に床板１５５０が床に接して配置されるようにばね付勢することができる。
【００５４】
脚部１５７１は、シャフト１５７６によって垂直柱１５３１に結合される。脚部１５７２は、シャフト１５７７によって垂直柱１５３２に結合される。シャフト１５７６及び１５７７は、任意に図示のように脚部に埋め込まれる。脚部１５７１は、（図１５、図１８及び図２１に示す）折り畳み位置と（図１６〜図１７及び図１９〜図２０に示す）伸張位置との間でシャフト１５７６を中心に回転することができる。任意に、垂直柱１５３１及び１５３２の各々は、シャフト１５７６、１５７７、１５７８、及び１５７９を受け取る切欠部を含む。切欠部は、脚部１５７１、１５７２、１５７３及び１５７４がその展開位置において床板１５５０と平行になる位置を越えて広がるのを防ぎ（すなわち、脚部の過伸展を防ぎ）、これはユーザの安全性を高める特徴である。脚部１５７２、脚部１５７３及び脚部１５７４は、脚部１５７１及びシャフト１５７６について説明した方法と同様にそれぞれシャフト１５７７、シャフト１５７８及びシャフト１５７９を中心に回転することができる。脚部１５７２は、脚部１７１及びシャフト１７６について説明した方法と同様にシャフト１５７７を中心に回転することができる。
【００５５】
代替例では、シャフト１５７６、１５７７、１５７８及び１５７９の各々をブラケットに取り付け、ブラケットをさらに垂直柱１５３１及び１５３２に取り付けて、図６７に示す設計に従って脚部１５７１、１５７２、１５７３及び１５７４がその展開位置において床板１５５０と平行になる位置を越えて広がるのを防ぐことができる。
【００５６】
１つの実施形態では、垂直柱１５３１の底部と床との間の距離が少なくとも１．８０インチであり、垂直柱１５３２の底部と床との間の距離が少なくとも１．８０インチである。
【００５７】
シャフト１５７６及び１５７７は、様々な設計が可能である。例えば、シャフト１５７６及び１５７７の各々が、脚部１５７１及び１５７２の各々に固定された中空シリンダをそれぞれ含み、各シリンダが、（シャフト１５７７については）垂直柱１５３１及び（シャフト１５７７については）垂直柱１５３２に固定された別のシリンダ（又は、ピン）を取り囲むことができる。別の例では、シャフト１５７６及び１５７７の各々が、脚部１５７１及び１５７２の各々に固定されたシリンダをそれぞれ含み、各シリンダの頂部及び底部から延びるばね付勢部材を垂直柱１５３１及び１５３２の窪みによって受け取ることができる。図１４に、脚部及びシャフト設計の１つの実施形態を示す。
【００５８】
垂直柱１５３１に接続された水平ブラケットには、ホイール１５９１が接続され、垂直柱１５３２に接続された水平ブラケットには、ホイール１５９２が接続される。
【００５９】
脚部１５８１には足部機構１５８１が結合され、脚部１５７２には足部機構１５８２が結合される。足部機構１５８１及び１５８２は、それぞれがノブ及びレバーを含み、ユーザは、ノブを押すことによって各足部機構をロックし、レバーを押すことによってロックを解除することができる。
【００６０】
図１６は、脚部１５７１及び１５７２が広がっている点を除き、図１５と同じ図である。床板１５５０は、磁石１６１１及び磁石１６１２を含む。
【００６１】
（図１５のような）折り畳み位置では、磁石１６１１が磁力を通じて脚部１５７１を後板１５５０に対して保持し、磁石１６１２が磁力を通じて脚部１２７２を後板１５５０に対して保持する。垂直柱１５３１及び垂直柱１５３２にはクロスバー１６２０が結合されて、二重ユニットポータブルエクササイズバー１５００にさらなる安定性をもたらす。クロスバー１５６０は、複数の穴１５６１を含み、クロスバー１６２０は、複数の穴１６２１を含む。
【００６２】
図１７は、床板１５５０が地面に展開されている点を除いて図１６と同じ図である。床板１５５０は、ボア１７１１及び１７１２を含む。（図２３の設計などを通じて）磁石１６１１はボア１７１１内に配置され、磁石１６１２はボア１７１２に配置される。ボア１６２１及びボア１６２２の直径は、磁石１６１１及び１６１２が床板１５５０自体によって床板１５５０内に保持されるように床板１５５０の外側に面する側（すなわち、図１６に示す床板１５５０の側）の方が小さく、製造工程中に磁石１６１１及び１６１２をボア１７１１及び１７１２内に容易に配置できるように床板１５５０の後板１７２０に面する側の方が大きいことが好ましい。磁石１６１１及び１６１２は、任意にエポキシ又はその他の接着剤又は機械的手段（例えば、締結具付きの金属板）によってボア１７１１及び１７１２内にそれぞれ固定される。これらの磁石及びボアに関するさらなる詳細は図２３に示しており、既に説明した。
【００６３】
クロスバー１５６０には、ハンドル１７３０が結合される。後板１７２０は、クロスバー１５６０及びクロスバー１６２０に結合される。
【００６４】
図１８は、脚部及び床板が折り畳み位置にある二重ユニットポータブルエクササイズバー１５００の側面図である。第１のモジュール１５０１及び第２のモジュール１５０２を背中合わせの構成で示す。この構成では、二重ユニットポータブルエクササイズバー１５００が極めてコンパクトであって空間効率が高く、保管時に有用である。
【００６５】
図１９には、図示のように床板１５５０及び後板１７２０上にマット１９１０が配置されている点を除き、図１７に示すものと同じ構成の二重ユニットポータブルエクササイズバー１５００を示す。マット１９１０は、折り目１９２１及び１９２２において接合する部分１９１１、１９１２及び１９１３を任意に含む。ユーザは、脚部１５７１及び１５７２、並びに床板１５５０を広げた後にマット１９１０を追加することも、或いはマット１９１０を床板１５５０及び後板１７２０に結合して、床板１５５０、並びに脚部１５７１及び１５７２を内側に折り畳んだ時でも取り付けられたままにしておくこともできる。例えば、部分１９１２は、床板１５５０を包み込むポケットを含むことができる。任意に、部分１９１２及び１９１３は、床板１５５０及び後板１７３０にそれぞれ取り付けられた粘着性発泡体を覆うビニールカバーを含み、部分１９１１は、発泡体を収容するビニール製エンクロージャを含む。
【００６６】
図２０は、第１のモジュール１５０１及び第２のモジュール１５０２にマット１８１０が追加されている点を除き、図１８に示すものと同じ二重ユニットポータブルエクササイズバー１５００の側面図である。
【００６７】
図２１は、二重ユニットポータブルエクササイズバー１５００の上面図（鳥瞰図）である。第１のモジュール１５０１及び第２のモジュール１５０２を結合する取り付け装置２１１０を示している。取り付け装置２１１０は、例えば取り付け装置２１１０が第１のモジュール１５０１及び第２のモジュール１５０２のクロスバー１５６０を共に押圧し、及び／又は第１のモジュール１５０１及び第２のモジュール１５０２のクロスバー１６２０を共に押圧するように、複数の穴１５６１及び複数の穴１６２１のうちの１つ又は２つ以上を貫通して延びてナット又は蝶ナットによって固定される複数のボルトを含むことができる。
【００６８】
壁取り付け型二重ユニットポータブルエクササイズバー
第１のモジュール１５０１及び第２のモジュール１５０２は、取り付け装置２１１０を緩めることによって互いに切り離すことができると理解されるであろう。第１のモジュール１５０１又は第２のモジュール１５０２は、互いに切り離されると、図９〜図１３に示す壁取り付け型ポータブルエクササイズバー１０００として使用することができる。
【００６９】
また、取り付け装置２１１０を緩めることによって第１のモジュール１５０１及び第２のモジュール１５０２を互いに切り離した後に、第１のモジュール１５０１及び第２のモジュール１５０２の垂直柱１５３１及び１５３２の後側にアセンブリ１４００を追加することにより、第１のモジュール１５０１及び第２のモジュール１５０２の各々をポータブルエクササイズバー１００（すなわち、独立型単一ユニット）にすることもできる。
【００７０】
また、第１のモジュール１５０１及び第２のモジュール１５０２は、二重構成の壁取り付け型ユニットとして使用することもできる。図２２を参照すると、第１のモジュール１５０１及び第２のモジュール１５０２が互いに切り離された後に、壁取り付け型ポータブルエクササイズバー１０００について上述した方法と同様に壁部２２１０に取り付けられている。この構成では、第１のモジュール１５０１及び第２のモジュール１５０２が協働して、二重ユニット壁部取り付け型ポータブルバレエエクササイズバーシステム２２００になる。
【００７１】
ポータブルエクササイズバー装置１００、１０００、１５００及び２２００の代替設計
ポータブルエクササイズ装置の様々な部分は、数多くの代替設計が可能である。図２５〜図６６にこれらの代替設計を図示し説明する。
【００７２】
代替の脚部固定機構
ポータブルエクササイズバーの保管又は移動時に脚部を内側位置に固定するオプションは数多く考えられる。例えば、後板のボア内に取り付けた磁石を使用する代わりに、図２５〜図３２に示すいずれかの代替物を使用することができる。
【００７３】
図２５には、フック機構２５００を示す。フック機構は、脚部上のフック２５１０と、クロスバー又は別の脚部上のコネクタ２５２０とを含む。
【００７４】
図２６には、ベルクロ機構２６００を示す。ベルクロ機構２６００は、脚部に取り付けられたベルクロパッチ（図示せず）と、マットに取り付けられたベルクロパッチ２６１０とを含む。
【００７５】
図２７には、第１のストラップ機構２７００を示す。ストラップ機構２７００は、マットに取り付けられたストラップ２７１０を含んで脚部を包み込む。ストラップ２７１０は、ゴム製とすることができ、マットに縫い付けることができる。代替例では、ストラップ２７１０を非伸張材料製とし、一端をマットに縫い付け、他端をベルクロによってマットに取り付けることができる。
【００７６】
図２８には、第２のストラップ機構２８００を示す。第２のストラップ機構２８００は、折り畳み位置において２つの脚部を互いに結び付けるストラップ２８１０を含む。ストラップ２８１０は、ポータブルエクササイズバーの保管時又は移動時に脚部が離れて広がるのを防ぐ理想的な長さである。ストラップ２８１０は、弾性材料又は同様の伸張材料で形成することができる。
【００７７】
図２９には、摩擦ブッシング機構２９００を示す。摩擦ブッシング機構２９００は、それぞれが脚部管体よりも大きな直径を有し、ユーザが脚部を移動させようとした時に摩擦抵抗を生み出すブッシング２９１０を含む。この抵抗により、脚部が折り畳み位置に固定して保たれる。
【００７８】
図３０には、ばね式ボールプランジャ機構３０００を示す。ばね式ボールプランジャ機構３０００は、ばね３０１０と、ボール３０２０と、ディボット３０３０とを含む。ばね３０１０及びボール３０２０は、共にばね式ボールとして垂直柱に取り付けられ、脚部のディボット３０３０に受け取られることによって柱に固定されて保たれる。
【００７９】
図３１には、ジッパー機構３１００を示す。ジッパー機構３１００は、脚部を覆って配置された（任意に布製の）カバー３１１０を含む。マットには、マットに縫い付けることなどによってパッチ３１３０が取り付けられる。パッチ３１３０及びカバー３１１０にはジッパー３１２０が取り付けられ、これを用いて脚部をマットに対して固定することができる。
【００８０】
図３２Ａ及び図３２Ｂには、持ち上げ回転機構３２００を示す。脚部を回転させるには、ピン３２１０の上方に垂直方向に持ち上げる必要がある。図３２Ａでは、脚部が折り畳み位置にあり、ピン３２１０が脚部を適所に保つ。図３２Ｂでは、脚部が開いた伸張位置にあり、この場合もピン３２１０が脚部を適所に保つ。
【００８１】
代替のネック部ロック機構
本明細書で説明したいずれかの実施形態のネック部を垂直柱内に固定するオプションは数多く考えられる。例えば、ネック部の穴に挿入されるノブを使用する代わりに、図３３〜図３６に示すいずれかの代替物を使用することができる。
【００８２】
図３３には、カラー機構３３００を示す。ネック部３３２０は、垂直柱３３１０に挿入される。ねじ３３３０が、ネック部３３２０の周囲でカラー３３４０を締め付けてネック部３３２０を適所に保持する。
【００８３】
図３４には、カムロック爪３４００を示す。ネック部３４２０は、垂直柱３４１０に挿入される。爪３４３０を用いて、ネック部３４２０の周囲でカラー３４４０締め付けてネック部３４２０を適所に保持する。
【００８４】
図３５には、ばね式ピン機構３５００を示す。ネック部３５１０は、垂直柱（図示せず）に挿入される。ピン３５２０は、ばね３５３０によって外向きに強制される。ピン３５２０は、垂直柱の穴又はディボットに挿入することができる。ユーザは、ピン３５２０を押し込んで、垂直柱内でネック部３５１０を上下に動かすことができる。
【００８５】
図３６には、押しボタン式側部ロック機構３６００を示す。ネック部３６２０は、垂直柱３６１０に挿入される。摩擦部材３６４０が、垂直柱３６１０の内面に対して外向きに力を加えることによってネック部３６２０を垂直柱３６１０内に固定する。ユーザは、ボタン３６３０を押して摩擦部材３６４０を解放し、ネック部３６２０を垂直柱３６１０内で上下に動かすことができる。
【００８６】
代替の水平バー高さ調整機構
本明細書で説明したいずれかの実施形態の水平バーの高さを調整するオプションは数多く考えられる。例えば、上述した垂直柱、ネック部及びノブを使用する代わりに、図３７〜図４９に示すいずれかの代替物を使用することができる。
【００８７】
図３７には、独立調整機構３７００を示す。垂直柱３７２０内でネック部３７１０を上下に動かして、継手３７４０を通じてネック部３７１０に接続された水平バー３７３０の一端を上昇又は下降させることができる。従って、水平バー３７３０の各側を反対側とは無関係に上昇／下降させることができる。
【００８８】
図３８には、ねじジャッキ機構３８００を示す。垂直柱３８２０内でネック部３８１０を上下に動かして水平バー３８３０を上昇又は下降させることができる。この動きは、これによってネック部３８１０のねじ部分（図示せず）に結合されたねじ（図示せず）を回転させる回転リール３８３０によって行われる。
【００８９】
図３９には、ケーブル持ち上げ機構３９００を示す。リール３９５０を用いてケーブル３９３０を巻き取り又は戻すことによって、垂直柱３９２０内でネック部３９１０を上下に動かすことができる。ケーブル３９３０の他端は、垂直柱３９２０に取り付けられる。ケーブルは、各ネック部３９２０の底部に位置する滑車３９４０によって支持される。
【００９０】
図４０には、ガスシリンダーリフト４０００を示す。ネック部４０１０は、垂直柱４０２０内で上下に動くことができる。垂直柱４０２０は、基部４０３０に取り付けられる。ユーザは、ネック部４０１０、垂直柱４０２０及び基部４０３０によって形成されるチャンバ内に弁４０４０を通じてガスを圧送し、又はチャンバからガスを放出させ、これによってネック部４０１０を上下に動かす。
【００９１】
図４１には、フットポンプリフト４０１０を示す。ネック部４１１０は、垂直柱４１２０内で上下に動くことができる。ユーザは、ネック部４１１０及び垂直柱４１２０によって形成されるチャンバ内にフットポンプ４０３０を通じて空気を圧送し、又はチャンバから空気を放出させ、これによってネック部４１１０を上昇又は下降させる。
【００９２】
図４２には、ばね持ち上げ機構４２００を示す。クロスバー４２４０に接続されたばね４２２０及びシザーズサポート４２３０により、クロスバー４２４０にさらに接続された垂直柱４２１０を上昇又は下降させる。
【００９３】
図４３には、フットリフト機構４３００を示す。ユーザがレバー４３３０を動かすことによって垂直支持構造４３１０が上昇又は下降する。レバー４３３０は、垂直支持構造４３１０に取り付けられたねじ４３２０と相互作用するねじ部分を収容する。従って、レバー４３３０が、垂直支持構造４３１０を上昇又は下降させる。
【００９４】
図４４には、中心持ち上げ機構４４００を示す。ネック部４４１０は、垂直柱４４２０内で上下に動くことができる。摩擦パッド４４３０が、ネック部４４１０を適所に保つ。ユーザがプッシュレバー４４６０を回転させると、部材４４５０が垂直柱４４２０から支持ピンを引き抜き、これによってネック部４４１０が上昇又は下降できるようになる。この機構は、ユーザが片手用機構を用いてネック部４４１０（及び反対側の対応するネック部）を上昇又は下降させることができるので便利である。
【００９５】
図４５には、多重バー機構４５００を示す。垂直柱４５１０は、それぞれが異なる高さに位置する複数の水平バー４５２０を支持する。
【００９６】
図４６には、回転バー機構４６００を示す。ネック部４６１０は、垂直柱４６２０によって支持され、継手４６４０を通じて水平バー４６３０に取り付けられる。ユーザは、継手４６４０を中心に水平バー４６３０を動かして、水平バー４６３０の鉛直高さ及び水平配置を調整することができる。
【００９７】
図４７には、多重スロット機構４７００を示す。垂直柱４７１０（又は垂直ネック部）が、それぞれが異なる高さに位置する複数のスロット４７２０を収容し、その中に水平バー４７３０を配置することができる。
【００９８】
図４８には、多重バー連結機構４８００を示す。ネック部４８２０は、継手４８４０を通じて垂直柱４８１０に接続される。ネック部４８２０は、水平バー４８３０を支持する。垂直柱４８１０は、継手４８７０においてばね４８８０によって互いに接続された二重支持部材４８６０によって支持される。二重支持部材４８６０は、基部４８７０内で動くとともに、基部４８７０内の機械的手段を介して適所にロックすることができる。
【００９９】
図４９には、減衰グリース機構４９００を示す。ネック部４９１０は、基部４９３０によって支持された垂直柱４９２０内で上下に動くことができる。ネック部４９１０、垂直柱４９２０及び基部４９３０によって形成されたチャンバがグリース４９４０で満たされる。グリース４９４０は、ネック部４９１０を固定位置に保つ減衰効果をもたらす。
【０１００】
代替の水平バー高さ摺動調整機構
本明細書で説明したいずれかの実施形態の水平バーの高さを調整する摺動オプションは数多く考えられる。例えば、垂直柱、ネック部及びノブを使用する代わりに、図５０〜図５２に示すいずれかの代替物を使用することができる。
【０１０１】
図５０には、押し出し機構５０００内の押し出し部を示す。ネック部５０１０は、垂直柱５０２０内で摺動する。ネック部５０１０及び垂直柱５０２０は、力が加わった時にはネック部５０１０が摺動でき、（重力以外の）力が加わっていない時には静止したままになるように、ネック部５０１０と垂直柱５０２との間の摩擦量を最適化するようなサイズにされる。
【０１０２】
図５１には、ローラ機構５１００を有するストック管を示す。ネック部５１１０は、垂直柱５１２０内で摺動する。この動きをローラ５１３０が支援して、ネック部５１１０を上下に動かすためにユーザが加えなければならない力の量を最小限に抑える。
【０１０３】
図５２には、外部キャリッジ機構５２００を示す。キャリッジ５２２０は、ベアリング又はホイール（図示せず）を用いて垂直柱５２１０を上下に摺動させる。キャリッジ５２２０は、水平バー（図示せず）の一端を保持する。
【０１０４】
代替の水平バー調整機構
本明細書で説明したいずれかの実施形態の水平バーの調整オプションは数多く考えられる。例えば、ネック部内で水平バーを固定位置に配置する代わりに、図５３〜図５５に示すいずれかの代替物を使用することができる。この機構は、ポータブルエクササイズバーの折り畳み、移動、保管及び／又は積み重ねにとって有用となり得る。
【０１０５】
図５３には、回転バー５３００を示す。ネック部５３１０は、継手５３４０を通じて支持部材５３３０に接続される。支持部材５３３０は、水平バー５３２０の一端を保持する。水平バー５３２０は、継手５３４０を中心に回転することができる。
【０１０６】
図５４には、伸縮バー５４００を示す。ネック部５４１０内で摺動可能な支持部材５４２０に水平バー５４３０が接続される。従って、水平バー５４３０は、ユーザに向かって又はユーザから離れて動くことができる。
【０１０７】
図５５には、取り外し可能なバー機構５５００を示す。ネック部５５１０は、垂直柱５５２０内で摺動する。水平バー５５３０は、第１の部材５５４０及び第２の部材５５５０という２つの要素を含む。第２の部材５５５０は、直径がわずかに小さく、第１の部材５５４０内に収まることができる。第１の部材５５４０の内部構造と第２の部材５５５０の内部構造との間には、両側のネック部５５１０に向かって外方向に力を加えるようにばねが配置される。従って、ユーザは、第１の部材５５４０及び第２の部材５５５０を互いに押し付けて、両側のネック部５５１０から水平バー５５３０を取り外して保管することができる。
【０１０８】
代替の脚部機構
本明細書で説明したいずれかの実施形態には、図５６〜図５７に示す代替物を含む数多くの代替の脚部機構が考えられる。
【０１０９】
図５６には、固定式脚部機構５６００を示す。脚部５６２０は、垂直柱５６１０に動かないように固定される。典型的な脚部５６２０の脚部は、少なくとも４つ存在する。
【０１１０】
図５７には、折り畳み式脚部機構５７００を示す。脚部５７２０は、垂直柱５７１０に向けて垂直方向上向きに折り曲げるとともに、床に向けて下向きに折り曲げることができる。
【０１１１】
代替の後板及び床板構成
本明細書で説明したいずれかの実施形態には、図５８〜図６０に示す代替物を含む、後板と床板とを接続する数多くの代替物が存在する。
【０１１２】
図５８には、固定式床板機構５８００を示す。床板５８２０は、固定支持部材５９３０を通じて後板５８１０に接続される。
【０１１３】
図５９には、折り畳み式床板機構５９００を示す。床板５８２０は、床板５８２０を後板５９１０に向けて上向きに折り曲げ、又は床に向けて下向きに折り曲げるヒンジ式支持部材５９３０を通じて後板５９１０に接続される。
【０１１４】
図６０には、伸長式床板機構６０００を示す。床板６０２０は、床に展開されると左右方向に広がって、床板６０２０の一部が各脚部６０３０の下方に捕捉されるようになる。床板６０２０は、ヒンジ又はその他の手段を通じて後板６０１０にも取り付けられる。
【０１１５】
代替のホイール構成
本明細書で説明したいずれかの実施形態のホイール構成には、図６１〜図６２に示す代替物を含む数多くの代替物が存在する。
【０１１６】
図６１には、格納式ホイール機構６１００を示す。ホイール装置６１２０は、垂直柱６１１０内に収容される。ホイール装置６１２０は、ペダル６１３０及びホイール６１４０を含む。ペダル６１３０を床に向かって押すと、ホイール６１４０が床の方に移動してその位置にロックされ、垂直柱６１１０を床の上で転がすことができるようになる。
【０１１７】
図６２には、単一のホイール群機構６２００を示す。ホイール６２１０は、ポータブルエクササイズバー装置の片側のみに取り付けられる。ハンドル６２２０は、ポータブルエクササイズバー装置の反対側に取り付けられる。ユーザは、ハンドル６２２０を持ち上げ、ホイール６２１０を用いて装置を転がすことができる。
【０１１８】
代替の足部高さロック及び格納機構
本明細書で説明したいずれかの実施形態の足部機構には、図６３に示す代替物を含む数多くの代替物が存在する。
【０１１９】
図６３には、機構６３００を示す。脚部６３１０は、傾斜ブラケット６３３０を通じて垂直柱６３２０に接続される。傾斜ブラケット６３３０は、脚部６３１０を内側に折り畳んだ時に脚部６３１０を垂直柱６３２０の方に回転させて、脚部６３１０が折り畳み位置にある時に床との間の間隙を大きくすることができる。伸長位置では、（内部の積み重ね高さを減少させる）内部板ばね又はコイルばね、シザージャッキ、円錐コイルばねによって脚部６３１０を外向きに強制して脚部６３１０を床に向けて押し付けることにより、（足部機構１８１、１８２、１８３及び１８４などの）足部の必要性を低減することができる。傾斜ブラケット６３３０は、離散的ステップで上向きに傾斜するようにラチェット構成で設計することができる。
【０１２０】
代替の水平バー取り付け方法
本明細書で説明したいずれかの実施形態の水平バーの取り付けには、図６４〜図６６に示す代替物を含む数多くの代替物が存在する。
【０１２１】
図６４には、下側取り付け方法６４００を示す。支持構造６４１０は、水平バー６４２０の下側を支持する。
【０１２２】
図６５には、中心取り付け方法６５００を示す。支持構造６５１０は、（水平バー６５２０の反対端の別の支持構造６５１０まで）水平バー６５２０の中央全体に延びるねじ又はバーなどを通じて水平バー６５２０の中心に取り付けられる。
【０１２３】
図６６には、端部取り付け方法６６００を示す。支持構造６５１０は、水平バー６６２０の端面に取り付けられる。支持構造６５１０は、水平バー６６２０の端部を受け取る窪みを含むことができる。任意に、支持構造６５１０を通じて水平バー６６２０にねじを挿入することもできる。
【０１２４】
図６７には、脚部取り付け機構６７００を示す。脚部６７１０は、垂直柱６７４０に取り付けられたブラケット６７３０に取り付けられたシャフト６７２０に取り付けられる。ブラケット６７３０は、脚部６７１０がその展開位置において床板と平行になる位置を越えて広がるのを防ぐ（すなわち、脚部の過伸展を防ぐ）。
【０１２５】
任意のネック部及び垂直柱設計
図６８に、ネック部１２１の実施形態を示す。この実施形態では、ネック部１２１が、第１の側面上のホイール６８１１、６８１２、６８１３及び６８１４と、第２の側面上のホイール６８１５及び６８１６とを含む。図６９には、ネック部１２１の反対側を示す。ネック部１２１は、第３の側面上のホイール６８２１、６８２２、６８２３及び６８２４と、第４の側面上のホイール６８２５及び６８２６とをさらに含む。
【０１２６】
図７０には、垂直柱１４１の実施形態を示す。垂直柱１４１は、図６８及び図６９に示すネック部１２１の実施形態を受け取るように設計される。垂直柱１４１は、定荷重ばね７０１０と、壁部７０２６と、壁部セグメント７０２１、７０２２、７０２３、７０２４及び７０２５とを含む。壁部７０２６は、ホイール６８１５及び６８１６を受け取るように構成され、壁部セグメント７０２１は、ホイール６８２１及び６８２２を受け取るように構成され、壁部セグメント７０２２は、ホイール６８２３及び６８２４を受け取るように構成され、壁部セグメント７０２３は、ホイール６８２５及び６８２６を受け取るように構成され、壁部セグメント７０２４は、ホイール６８１１及び６８１２を受け取るように構成され、壁部セグメント７０２５は、ホイール６８１３及び６８１４を受け取るように構成される。
【０１２７】
図７１には、垂直柱１４１の別の上面図を示しており、ここでは垂直柱１４１内にネック部１２１が存在する。図では、ホイール６８１５、６８２１、６８２３、６８２５、６８１１及び６８１３が、壁部７０２６及び壁部セグメント７０２１、７０２２、７０２３、７０２４及び７０２５にそれぞれ接触する。
【０１２８】
図７２は、垂直柱１４１及びネック部１２１の側面断面図である。ネック部１２１は、対角要素７２１０を含み、これに定荷重ばね７０１０が接触する。図７３には、離れた距離から見た同じ図を示す。動作中、ユーザがネック部１２１を下向きに押すと、定荷重ばね７０１０は伸長する。ユーザがネック部１２３を上向きに引っ張ると、定荷重ばね７０１０は収縮する。定荷重ばね７０１０によって加わる力は、ネック部１２３自体、並びに水平バー１１０及び２１０の重量に対する抵抗力の役割を果たす。これにより、ユーザは、最低限の労力で水平バー１１０を正しい高さに容易に調整できるとともに、ノブ１４１及び１４２が外向きに引っ張られた時に水平バー１１０がいきなり落下することも防がれる。
【０１２９】
図７４に、定荷重ばね７０１０が部分的に伸長したネック部１２１を示す。定荷重ばね７０１０は、（ピン、ボルト、フックなどとすることができる）取り付け具７４１０によって垂直柱１４１に取り付けられる。
【０１３０】
図６８〜図７４の設計は、本明細書で説明した実施形態のあらゆるネック部及びあらゆる垂直柱に適用することができ、通常、ポータブルバーエクササイズ装置は、仮にこのような設計を使用した場合には、そのネック部及び垂直柱の全てにこのような設計を含むと理解されたい。
【０１３１】
材料
水平バー１１０、２１０、１０１０、１２１０及び１５１０などの上述した水平バーは、木、プラスチック、金属又はその他の材料で構成することができる。クロスバー１６０、１０６０、１０８０及び１５６０などの上述したクロスバーバーは、木、プラスチック、金属又はその他の材料で構成することができる。床板１５０及び１５５０などの上述した床板は、木、プラスチック、金属又はその他の材料で構成することができる。後板２３０、１２２０及び１７２０などの上述した後板は、木、プラスチック、金属又はその他の材料で構成することができる。後板は、それぞれが真空形成後板、有孔後板、ハニカムプラスチック後板、回転成形プラスチック、又は布製のローンチェア型後板を含むことができる。マット６１０、１１１０及び１９１０などの上述したマットは、それぞれが床板又は後板に取り付けられたラミネートプラスチック／ゴム構造を含むことができ、或いは自己スキニング発泡体を用いてそれぞれを形成することができる。他の全ての構造は、木、プラスチック、金属又はその他の材料で構成することができる。
【０１３２】
本明細書における本発明への言及は、いずれかの請求項、又は請求項の用語の範囲を限定するものではなく、１又２以上の請求項の対象となり得る１又２以上の特徴について言及しているにすぎない。上述した材料、プロセス及び数多くの実施例は例示的なものにすぎず、特許請求の範囲を限定するものと見なすべきではない。なお、本明細書で使用する「〜の上（ｏｖｅｒ、及びｏｎ）」という用語は、いずれも（間に中間材料、要素又は空間が配置されていない）「直接的に〜上に」、及び（間に中間材料、要素又は空間が配置されている）「間接的に〜上に」を包括的に含む。同様に、「〜に隣接して（ａｄｊｅｃｅｎｔ）」という用語は、（間に中間材料、要素又は空間が配置されていない）「〜に直接的に隣接して」、及び（間に中間材料、要素又は空間が配置されている）「に間接的に隣接して」を含む。例えば、「基板上に」要素を形成することは、間に中間材料／要素を伴わずに基板上に直接的に要素を形成すること、及び間に１又は２以上の中間材料／要素を伴って基板上に間接的に要素を形成することを含むことができる。
【符号の説明】
【０１３３】
１００  ポータブルエクササイズバー
１２１、１２２  ネック部
１２３、１２４  クランプ機構
１３１、１３２  垂直柱
１４１、１４２  ノブ
１５０  床板
１５１  ヒンジ
１６０  クロスバー
１７１、１７２、１７３、１７４  脚部
１７６、１７７  シャフト
１８１、１８２  足部機構
１９１、１９２、１９３、１９４  ホイール
【図１】
2020114474.tif 000003
【図２】
2020114474.tif 000004
【図３】
2020114474.tif 000005
【図４】
2020114474.tif 000006
【図５】
2020114474.tif 000007
【図６】
2020114474.tif 000008
【図７】
2020114474.tif 000009
【図８】
2020114474.tif 000010
【図９】
2020114474.tif 000011
【図１０】
2020114474.tif 000012
【図１１】
2020114474.tif 000013
【図１２】
2020114474.tif 000014
【図１３】
2020114474.tif 000015
【図１４】
2020114474.tif 000016
【図１５】
2020114474.tif 000017
【図１６】
2020114474.tif 000018
【図１７】
2020114474.tif 000019
【図１８】
2020114474.tif 000020
【図１９】
2020114474.tif 000021
【図２０】
2020114474.tif 000022
【図２１】
2020114474.tif 000023
【図２２】
2020114474.tif 000024
【図２３】
2020114474.tif 000025
【図２４】
2020114474.tif 000026
【図２５】
2020114474.tif 000027
【図２６】
2020114474.tif 000028
【図２７】
2020114474.tif 000029
【図２８】
2020114474.tif 000030
【図２９】
2020114474.tif 000031
【図３０】
2020114474.tif 000032
【図３１】
2020114474.tif 000033
【図３２Ａ】
2020114474.tif 000034
【図３２Ｂ】
2020114474.tif 000035
【図３３】
2020114474.tif 000036
【図３４】
2020114474.tif 000037
【図３５】
2020114474.tif 000038
【図３６】
2020114474.tif 000039
【図３７】
2020114474.tif 000040
【図３８】
2020114474.tif 000041
【図３９】
2020114474.tif 000042
【図４０】
2020114474.tif 000043
【図４１】
2020114474.tif 000044
【図４２】
2020114474.tif 000045
【図４３】
2020114474.tif 000046
【図４４】
2020114474.tif 000047
【図４５】
2020114474.tif 000048
【図４６】
2020114474.tif 000049
【図４７】
2020114474.tif 000050
【図４８】
2020114474.tif 000051
【図４９】
2020114474.tif 000052
【図５０】
2020114474.tif 000053
【図５１】
2020114474.tif 000054
【図５２】
2020114474.tif 000055
【図５３】
2020114474.tif 000056
【図５４】
2020114474.tif 000057
【図５５】
2020114474.tif 000058
【図５６】
2020114474.tif 000059
【図５７】
2020114474.tif 000060
【図５８】
2020114474.tif 000061
【図５９】
2020114474.tif 000062
【図６０】
2020114474.tif 000063
【図６１】
2020114474.tif 000064
【図６２】
2020114474.tif 000065
【図６３】
2020114474.tif 000066
【図６４】
2020114474.tif 000067
【図６５】
2020114474.tif 000068
【図６６】
2020114474.tif 000069
【図６７】
2020114474.tif 000070
【図６８】
2020114474.tif 000071
【図６９】
2020114474.tif 000072
【図７０】
2020114474.tif 000073
【図７１】
2020114474.tif 000074
【図７２】
2020114474.tif 000075
【図７３】
2020114474.tif 000076
【図７４】
2020114474.tif 000077
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
ポータブルエクササイズ装置であって、
第１の端部及び第２の端部を有する第１の水平バーと、
前記第１の端部に取り付けられた第１のネック部と、
前記第２の端部に取り付けられた第２のネック部と、
前記第１のネック部を受け取り、該第１のネック部を内部で移動させて前記第１の水平バーの鉛直高さを変更できる第１の支持構造体と、
前記第２のネック部を受け取り、該第２のネック部を内部で移動させて前記第１の水平バーの鉛直高さを変更できる第２の支持構造体と、
前記第１の支持構造体の頂部及び前記第２の支持構造体の頂部に取り付けられた第２のバーと、
前記第２のバーに対して平行であり、前記第１の支持構造体及び前記第２の支持構造体に結合された第３のバーと、
前記第２のバー及び前記第３のバーに取り付けられた後板と、
前記後板にヒンジで取り付けられた床板と、
を備え、
前記後板は、前記第２のバーと前記第３のバーとが相対的に動くのを防ぎ、
前記ヒンジは、垂直方向に移動可能であり、前記床板は、前記後板に対して平行な位置と、前記後板に対して垂直な位置との間で動くことができる、ことを特徴とするポータブルエクササイズ装置。
【請求項２】
前記ヒンジは、ばね付勢される、請求項１に記載の装置。
【請求項３】
前記第１の支持構造体に取り付けられた第１の脚部と、
前記第２の支持構造体に取り付けられた第２の脚部と、
を備え、前記床板は、前記第１の脚部を内側に折り畳んだ時に前記第１の脚部を磁力によって引き付ける第１の磁石と、前記第２の脚部を内側に折り畳んだ時に脚部を磁力によって前記第２の引き付ける第２の磁石と、をさらに、含む、
ことを特徴とする請求項１に記載の装置。
【請求項４】
前記第１の磁石は、前記床板内の第１のボアに埋め込まれ、前記第２の磁石は、前記床板内の第２のボアに埋め込まれる、
請求項３に記載の装置。
【請求項５】
前記床板を受け取るポケットを含むマットと、
をさらに備えることを特徴とする請求項１に記載の装置。
【請求項６】
前記マットは前記後板を覆う、請求項５に記載の装置。
【請求項７】
前記第１のネック部は、第１のクランプ装置によって前記第１の端部に取り付けられており、
前記第１の水平バーに巻き回されて第１のボルトによって固定された第１のバンドと、  前記第１のバンドを貫通して前記第１の水平バーに埋め込まれた第１のねじと、を含み、前記第２のネック部は、第２のクランプ装置によって前記第２の端部に取り付けられており、
前記第１の水平バーに巻き回されて第２のボルトによって固定された第２のバンドと、  前記第２のバンドを貫通して前記第１の水平バーに埋め込まれた第２のねじと、
を含む
請求項１に記載の装置。
【請求項８】
前記第１の支持構造体に取り付けられた第１の脚部と、
前記第２の支持構造体に取り付けられた第２の脚部と、をさらに含む請求項１に記載の装置。
【請求項９】
前記第１の脚部はフックを含み、前記第２の脚部はコネクタを含み、前記フック
は、前記コネクタに結合して、前記第１の脚部及び前記第２の脚部を折り畳み位置に保持することができる、請求項８に記載の装置。
【請求項１０】
前記第１のネック部は、第１のカラー機構によって前記第１の支持構造体に固定され、前記第２のネック部は、第２のカラー機構によって前記第２の支持構造体に固定される、請求項８に記載の装置。
【請求項１１】
前記第１のネック部は、第１の継手によって前記第１の水平バーに取り付けられ、前記第２のネック部は、第２の継手によって前記第１の水平バーに取り付けられる、
請求項８に記載の装置。
【請求項１２】
前記第１のネック部は、前記第１の支持構造体内に摺動自在に埋め込まれ、前記第２のネック部は、前記第２の支持構造体内に摺動自在に埋め込まれる、
請求項８に記載の装置。
【請求項１３】
前記第１の脚部に結合された第１の格納式ホイールと、前記第２の脚部に結合された第２の格納式ホイールと、をさらに備える、請求項８に記載の装置。
【請求項１４】
前記水平バーの前記第１の端部は、前記第１のネック部によって覆われ、前記水平バーの前記第２の端部は、前記第２のネック部によって覆われる、請求項８に記載の装置。